(57)【特許請求の範囲】
【請求項１】
グリップに設けられたベルトをビンの蓋の周囲に巻き回し、グリップを所定方向へ回動させてビンの蓋を開ける蓋開け具において、
グリップの上部に形成された略Ｌ字状のＬ字部と、このＬ字部の縦辺に貫通する横孔として形成される空間部と、この空間部の内部上面に一端が固定され、前記略Ｌ字状の横辺が向かう方向へ設けられ、前記Ｌ字部の上空を回って略円弧を描き、前記ビンの蓋の周囲に巻き回わされた状態で、前記空間部に入り、前記一端の下を二重状態になって通り、再び前記略Ｌ字状の横辺が向かう方向へ他端が延設されたベルトと、このベルトの二重状態の部分で、強く締まって前記蓋の周囲に押圧する部分を、長くすることで二重状態の部分を滑りにくくし、より容易に蓋を開けるために、前記略Ｌ字状の横辺に突設され、前記略Ｌ字状の横辺が向かう方向へ前記縦辺から離れて位置し、前記ベルトの下面に接する押圧部と、を有し、前記蓋の周囲が前記ベルトの二重状態の部分を介して前記押圧部に、および、前記押圧部に対して前記縦辺とは反対側の位置における前記横辺に、接した状態にし、前記グリップを前記略Ｌ字状の横辺が向かう方向へ回動することで前記蓋を開けることを特徴とする蓋開け具。
【請求項２】
前記横辺には、前記ベルトが周囲に巻き回わされた状態の前記蓋の天井外面に、当たることで前記グリップを安定させる、蓋当て部が設けられていることを特徴とする請求項1に記載の蓋開け具。
【請求項３】
前記押圧部は、前記接する部位が前記ベルトの幅方向へ存在する、角部を有する突起であることを特徴とする請求項1、または２に記載の蓋開け具。
【請求項４】
前記押圧部は、前記接する部位が前記ベルトの幅方向へ存在する、丸棒であることを特徴とする請求項1、または２に記載の蓋開け具。
【請求項５】
前記丸棒は、軸回りに回転可能であることを特徴とする請求項４に記載の蓋開け具。
【請求項６】
前記押圧部は、径の異なる前記蓋に対応するために、前記略Ｌ字状の横辺が向かう方向の２箇所に設けられていることを特徴とする請求項１、２，３，４，または５に記載の蓋開け具。
【発明の詳細な説明】
【技術分野】
【０００１】
この発明は、固く締まったビンの蓋を、ベルトを利用して、てこの原理で容易に開けられる蓋開け具に関する。
【背景技術】
【０００２】
ジャムなどの入っているビンの蓋などは、自分で閉めて、また再度、開けようとしても、期間を置けば置くほどに、蓋周辺の錆びや、密着などにより開けづらくなる。素手でどうしても開かない時は蓋の周りを叩いてショックを与えるか、暖めてから開けるなどされるが、蓋を開けるための手段としてのいろいろなオープナーが市場で販売されている。
【０００３】
このようなオープナーのうち、グリップに設けられたベルトをビンの蓋部の周囲に巻き回し、グリップを所定方向へ回動させてビンの蓋を開ける蓋明け具が存在する。特許文献1は、そのような蓋開け具のひとつである。
しかしながら、特許文献1の蓋開け具は、グリップ内部に上下に貫通する縦孔としての中空部は、それほど内径の大きなものは形成しにくい。このため、この内径の小さな縦孔によって、ベルトが描く弧は、下方で絞られた形状になり、縦長の細い楕円になってしまう。この細い楕円の中に、ビンの蓋を位置させるには、片方の手で縦長の楕円の頂部を下方へ押したり、楕円の左右の周辺部を広げたりしながら、楕円を円に近づけて、この円の中にビンの蓋を位置させる作業をしないといけない。この作業が案外面倒である。
【０００４】
この問題点の解消のため、本出願人は、既に特許文献２のように、ベルトの描く弧が、円に近く、ベルトの弛みを除く作業があまり必要でなく、低摩擦樹脂や高摩擦抵抗処理が必要のない、優れた蓋開け具を提案し、特許を取得している。
この特許文献２の蓋開け具によれば、ベルトの描く略円弧の中に、ビンの蓋を位置させ、ベルトの他端を引っ張れば、ベルトが蓋の周囲に巻き回わされ、その状態でグリップを、グリップの略Ｌ字状の横辺が向かう方向へ回動する。
【０００５】
すると、蓋は、二重状態になったベルトを介して、グリップの下段面部と接触する。そして、この下段面部との接触部分が支点になり、グリップを回動する力が、てこの原理により、上段面部側のベルトを介して、蓋との接触部を作用点とし、蓋を引っ張り、蓋を開けることができる。
【０００６】
そして、蓋は、二重状態になったベルトを介して、グリップの下段面部と接触するので、ベルトは、この二重状態になった部分で摩擦を得ることができ、弛みにくく、滑りにくい。
【先行技術文献】
【特許文献】
【０００７】
【特許文献１】特開２０００−２８１１８５号公報
【特許文献２】特許４９４７７４８
【発明の概要】
【発明が解決しようとする課題】
【０００８】
しかしながら、特許文献２の蓋開け具は、前述のように優れた機能を有するものの、蓋の径によっては、それでも、ベルトは、弛んで、滑る傾向を有することがある。
そこで、この発明は、特許文献２の蓋開け具を改良し、ベルトが、より弛みにくく、滑りにくい、蓋開け具を提供することを目的とする。
【課題を解決するための手段】
【０００９】
以上の課題を解決するために、第一発明は、グリップに設けられたベルトをビンの蓋の周囲に巻き回し、グリップを所定方向へ回動させてビンの蓋を開ける蓋開け具において、グリップの上部に形成された略Ｌ字状のＬ字部と、このＬ字部の縦辺に貫通する横孔として形成される空間部と、この空間部の内部上面に一端が固定され、前記略Ｌ字状の横辺が向かう方向へ設けられ、前記Ｌ字部の上空を回って略円弧を描き、前記ビンの蓋の周囲に巻き回わされた状態で、前記空間部に入り、前記一端の下を二重状態になって通り、再び前記略Ｌ字状の横辺が向かう方向へ他端が延設されたベルトと、このベルトの二重状態の部分を長くするために、前記略Ｌ字状の横辺に突設され、前記略Ｌ字状の横辺が向かう方向へ前記縦辺から離れて位置し、前記ベルトの下面に接する押圧部と、を有し、前記グリップを前記略Ｌ字状の横辺が向かう方向へ回動することで前記蓋を開けることを特徴とする蓋開け具である。
【００１０】
第二発明は、さらに、前記横辺には、前記ベルトが周囲に巻き回わされた状態の前記蓋の天井外面に、当たることで前記グリップを安定させる、蓋当て部が設けられていることを特徴とする蓋開け具である。
第三発明は、さらに、前記押圧部は、前記接する部位が前記ベルトの幅方向へ存在する、角部を有する突起であることを特徴とする蓋開け具である。
第四発明は、さらに、前記押圧部は、前記接する部位が前記ベルトの幅方向へ存在する、丸棒であることを特徴とする蓋開け具である。
第五発明は、さらに、前記丸棒は、軸回りに回転可能であることを特徴とする蓋開け具である。
第六発明は、さらに、前記押圧部は、径の異なる前記蓋に対応するために、前記略Ｌ字状の横辺が向かう方向の２箇所に設けられていることを特徴とする蓋開け具である。
【発明の効果】
【００１１】
第一、第二、第三、第四、第五、又は第六発明によれば、突設された押圧部が、ベルトの下面に接することで、局部的な強い力でベルトに接することができる。また、ベルトの他端を引っ張ることで、上記の強く接した状態で、ベルトの二重状態の部分を長くすることができる。このようにして、強く締まった、ベルトの二重状態の部分を長くできるために、グリップを回動する際に、ベルトが、より弛みにくく、滑りにくい。よって、より容易に蓋を開けることができる。
【００１２】
第二、第三、第四、第五、又は第六発明によれば、さらに、蓋開け具のＬ字部の横辺に設けた蓋当て部を、蓋の天井外面に当てることで、ベルトを蓋の周囲に巻き回す作業が容易になる。
すなわち、この巻き回す作業において、片手で、グリップの上部に形成されることになる蓋当て部を、蓋の天井外面に当てると、片手で支えるグリップと蓋、すなわちビンが一体となり、この片手の作業が安定するので、自由になった他方の手でベルトを確実に巻きつけることができ、ベルトを蓋の周囲に巻き回す作業は容易になる。
【００１３】
第三、第四、第五、又は第六発明によれば、さらに、前記突設された押圧部は、角部を有する突起であるので、ベルトの下面に、より局部的な強い力でベルトに接することができるので、ベルトが、さらに弛みにくく、滑りにくい。
また、接する部位がベルトの幅方向へ存在することから、ベルトが縦方向へ弛もうとする傾向に、対抗しやすい。
【００１４】
第四、第五、又は第六発明によれば、さらに、接する部位がベルトの幅方向へ存在する、丸棒であることから、ベルトが縦方向へ弛もうとする傾向に、対抗しやすいのみならず、ベルトの他端を引っ張る作業が容易である。
すなわち、ベルトの他端を引っ張る際に、ベルトが丸棒の表面を滑らかに移動でき、よって押圧部に引っかかりにくくでき、強く締まったベルトの二重状態の部分を容易に長くできる。
【００１５】
第五、又は第六発明によれば、さらに、丸棒は、軸回りに回転可能であることで、ベルトが丸棒の表面を擦る必要がなく、よって押圧部に、より引っかかりにくくできる。
第六発明によれば、さらに、押圧部が、略Ｌ字状の横辺が向かう方向の２箇所に設けられていることから、径の異なる蓋に容易に対応できる。
すなわち、蓋の径が小さいときには、近い箇所の押圧部が機能し、蓋の径が大きいときには、遠い箇所の押圧部が機能する。
【図面の簡単な説明】
【００１６】
【図１】この発明の第一、第二、および第三発明に対応する第一実施形態にかかる蓋開け具を示すもので、（Ａ）は斜視図、（Ｂ）は（Ａ）の左から見た側面図、（Ｃ）は（Ａ）の右から見た側面図、（Ｄ）は（Ａ）の縦断面図である。
【図２】図1の使用状態を示す斜視図である。
【図３】この発明の第一、第二、および第三発明に対応する他の実施形態である第二実施形態にかかる蓋開け具を示す斜視図である。
【図４】この発明の第一、第二、および第四発明に対応する第三実施形態にかかる蓋開け具を示す斜視図である。
【図５】この発明の第一、第二、および第五発明に対応する第四実施形態にかかる蓋開け具を示す斜視図である。
【図６】この発明の第一、第二、第四、および第六発明に対応する第五実施形態にかかる蓋開け具を示すもので、（Ａ）は蓋の径が小さい場合の使用状態縦断面図、（Ｂ）は蓋の径が大きい場合の使用状態縦断面図である。
【発明を実施するための形態】
【００１７】
（第一実施形態）
この発明の第一実施形態を、図１および図２に示す。
この第一実施形態は、第一、第二、および第三発明に対応する蓋開け具１を示す。図1のうち、（Ａ）は斜視図、（Ｂ）は（Ａ）の左から見た側面図、（Ｃ）は（Ａ）の右から見た側面図、（Ｄ）は（Ａ）の縦断面図である。この縦断面図は、蓋当て部を通らない断面であり、よって蓋当て部は表現されていない。図２は、図1の使用状態を示す斜視図である。
この蓋開け具１は、グリップ３に設けられたベルト５をビン７の蓋９の周囲に巻き回し、グリップ３を所定方向へ回動させてビン７の蓋９を開ける道具である。
【００１８】
［全体概略］
上下に長いグリップ３の上部に、略Ｌ字状のＬ字部１１が形成される。このＬ字部１１の縦辺１３に貫通して、横孔としての空間部１５が形成される。
ベルト５は、この空間部１５の内部上面に一端が固定される。そして、このベルト５の他端は、Ｌ字部１１の略Ｌ字状の横辺１７が向かう方向へ、延設され、さらに、Ｌ字部１１の上空を回って円弧を描く。そして、ビン７の蓋９の周囲に巻き回わされた状態で、再び、空間部１５に入り、ベルト５の一端の下を、二重状態になって通る。さらに、再び、Ｌ字部１１の略Ｌ字状の横辺１７が向かう方向へ、延設される。
【００１９】
このベルト５の二重状態の部分１９を長くして、ベルト５の弛みを解消するために、Ｌ字部１１の略Ｌ字状の横辺１７に、押圧部２１が突設される。この押圧部２１は、Ｌ字部１１の略Ｌ字状の横辺１７が向かう方向へ、縦辺１３から離れて位置する。そして、ベルト５の下面に接する。
【００２０】
以上のようにビン７の蓋９の周囲にベルト５が巻き回わされた状態で、グリップ３を、Ｌ字部１１の略Ｌ字状の横辺１７が向かう方向へ、回動することで、蓋９を開ける。
【００２１】
[ベルト５]
ベルト５には、強靭で、しかも蓋９のサイズに合わせて、円弧の大きさが容易に変形し得る長さを有する。例えば伸縮しない心材の周囲に、ゴムなどの摩擦係数の大きな素材が使われた帯体が用いられている。
【００２２】
［Ｌ字部１１］
略Ｌ字状のＬ字部１１を構成する縦辺１３は、グリップ３と平行である。Ｌ字部１１を構成する横辺１７は、縦辺１３と90度よりも大きな鈍角を形成し、横辺１７が向かう方向（図中右方向）へ、傾斜し下がる角度を有する。このように鈍角とすることで、90度よりも小さな鋭角とする場合に比べ、この鈍角へ、蓋９を導入しやすいので、作業しやすい。
Ｌ字部１１の厚さ、すなわち図中奥行方向の寸法は、図中の上下左右方向へ同じに維持される。このＬ字部１１の厚さは、ベルト５の幅よりもやや大きい。
【００２３】
［空間部］
空間部１５の上下幅は、ベルト５同士が重なりあうより大きく、これによりベルト５の他端側がスムーズに出し入れ出来る幅になっている。
【００２４】
［蓋当て部］
Ｌ字部１１の略Ｌ字状の横辺１７には、蓋当て部２３が、上下方向に設けられている。この蓋当て部２３は、ベルト５が周囲に巻き回わされた状態の蓋９の天井外面２５に、当たる位置に設けられ、当たることでグリップ３を安定させる。
【００２５】
すなわち、Ｌ字部１１の厚さ方向において、図中の手前側に、厚さの薄い蓋当て部２３が、連続して設けられる。Ｌ字部１１の厚さ方向と蓋当て部２３の上下方向は、互いに直角で、この直角部分（図示せず）に、蓋９の角が受け入れられる。
【００２６】
［押圧部２１］
押圧部２１は、角部２７を有する突起２９である。突起２９の形状は、上方へ鋭く伸びるくさび状を有する。このくさび状は、Ｌ字部１１の厚さ方向に、同じ断面を維持する。くさび状の先端の角部２７が、ベルト５に接する。この接する部位３１が、ベルト５の幅方向へ存在する。
【００２７】
「実施形態の作用」
図２に示すように、ベルト５の描く略円弧の中に、ビン７の蓋９を位置させ、ベルト５の他端３３を引っ張れば、ベルト５が蓋９の周囲に巻き回わされる。このとき、蓋当て部２３を、蓋９の天井外面２５に当てることで、作業が安定する。その状態でグリップ３を、グリップ３の略Ｌ字状の横辺１７が向かう方向へ回動する。
【００２８】
すると、蓋９は、二重状態になったベルト５を介して押圧部２１に接する。この接触により、ベルト５は大きな摩擦を得、蓋９に対して、動かない。よって、ベルト５が滑って戻されるということはない。そして、この押圧部２１が支点３５になり、グリップ３を回動する力が、てこの原理により、ベルト５を介して、蓋９との接触部３７を作用点とし、蓋９を引っ張り、蓋９を開けることができる。このように蓋９を開ける作業の間、蓋９は、ベルト５、押圧部２１、縦辺１３、または蓋当て部２３に接して、安定する。
【００２９】
「実施形態の効果」
（１）以上の実施形態によれば、突設された押圧部２１の角部２７が、ベルト５の下面に接し蓋９に押圧されることで、局部的なより強い力でベルト５に接することができる。また、この接した状態で、ベルト５の他端３３を引っ張ることで、強く接した状態で、特許文献２に比べ、ベルト５の二重状態の部分１９を長くすることができる。このようにして、強く締まった、ベルト５の二重状態の部分１９を長くできるために、大きな摩擦が得られ、グリップ３を回動する際に、ベルト５が、より弛みにくく、滑りにくい。よって、より容易に蓋９を開けることができる。
【００３０】
すなわち、特許文献２のように、蓋９が二重状態になったベルト５を介してグリップ３の下段面部と接する場合には、面接触なので、接する面が広く、接する力は局部的には強くない。これに対して、本実施形態では、局部的なより強い力でベルト５に接することができる。
【００３１】
（２）さらに、蓋当て部２３を、蓋９の天井外面２５に当てることで、ベルト５を蓋９の周囲に巻き回す作業が容易になり安定する。
すなわち、この巻き回す作業において、片手で、グリップ３の上部に形成されることになる蓋当て部２３を、蓋９の天井外面２５に当てる。このとき、Ｌ字部１１の厚さ方向と蓋当て部２３の上下方向が形成する直角部分（図示せず）に、蓋９の角が受け入れられる。これにより、片手で支えるグリップ３と蓋９、すなわちビン７が一体となり、この片手の作業が安定するので、自由になった他方の手でベルト５を確実に巻きつけることができ、ベルト５を蓋９の周囲に巻き回す作業は容易になる。
【００３２】
このようにしてベルト５の巻き回しが終わったら、蓋開け具１はベルト５を介してビン７の蓋９とほぼ一体となる。そこで、蓋開け具１のグリップ３を片手で持ち、他方の手でビン７を持ち、グリップ３を回動して、蓋９を開ける。
【００３３】
（３）押圧部２１のベルト５に接する部位３１（図１（Ａ）参照）が、ベルト５の幅方向へ連続して存在することから、ベルト５が縦方向へ弛もうとする傾向に、対抗しやすい。
【００３４】
（第二実施形態）
この発明の第二実施形態を、図３に示す。
以上の実施形態では、図２に示すように、押圧部２１は、くさび状の形状が上下に長く、このため、蓋９は押圧部２１に接するものの、Ｌ字部１１の上面には接しない。しかし、図３に示す第二実施形態のように、押圧部２１は、くさび状の形状が比較的に上下に短く、このため、蓋９は押圧部２１のみならずＬ字部１１の上面にも接するものとすることができる。蓋９が大きい場合には、このように２箇所で接することで、安定して、蓋９を開けることができる。
【００３５】
（第三実施形態）
この発明の第三実施形態を、図４に示す。
以上の実施形態では、図２に示すように、押圧部２１は、くさび状の角部２７を有する突起２９であったが、第４図に示す第三実施形態のように、丸棒３９とすることもできる。
この丸棒３９は、金属製で、回り止めの形状を有する。すなわち、Ｌ字部１１の略Ｌ字状のうち横辺１７において、厚さ方向の両縁部に、フランジ４１が形成され、このフランジ４１に開けられた孔４３に、外側から、丸棒３９の両端が通される。そして、これら通された両端４５は、各々、屈曲されてフランジ４１の内側から外側に向かう。この屈曲によって、丸棒３９は、回転しない。
【００３６】
そして、この丸棒３９の上部がベルト５に接する部位は、ベルト５の幅方向へ存在する。このように、接する部位がベルト５の幅方向へ存在する、丸棒３９であることから、ベルト５が縦方向へ弛もうとする傾向に、対抗しやすいのみならず、ベルト５の他端３３を引っ張る作業が容易である。
【００３７】
すなわち、ベルト５の他端３３を引っ張る際に、ベルト５が丸棒３９の表面を滑らかに移動でき、よって押圧部２１に引っかかりにくくでき、強く締まったベルト５の二重状態の部分１９を容易に長くできる。
【００３８】
（第四実施形態）
この発明の第四実施形態を、図５に示す。
以上の実施形態では、図４に示すように、押圧部２１は、回転しない丸棒３９であったが、第５図に示す第四実施形態のように、軸回りに回転可能な丸棒３９とすることができる。
すなわち、Ｌ字部１１の略Ｌ字状のうち横辺１７において、厚さ方向の両縁部に、フランジ４１が形成され、このフランジ４１に開けられた孔４３に、丸棒３９の両端が回転可能に支持される。
このように丸棒３９が、軸回りに回転可能であることで、ベルト５が丸棒３９の表面を擦る必要がなく、よって押圧部２１に、より引っかかりにくくできる。
【００３９】
（第五実施形態）
この発明の第五実施形態を、図６に示す。
以上の実施形態では、たとえば図４に示すように、押圧部２１は１箇所に設けられるのみであったが、第６図に示す第五実施形態のように、押圧部２１を、略Ｌ字状の横辺１７が向かう方向の２箇所に設けることができる。このように、２箇所に設けられていることから、径の異なる蓋９に容易に対応できる。
【００４０】
すなわち、蓋９の径が小さいときには、近い箇所の押圧部２１が機能し（図６（Ａ））、蓋９の径が大きいときには、遠い箇所の押圧部２１が機能する（図６（Ｂ））。
【符号の説明】
【００４１】
１…蓋開け具、３…グリップ、５…ベルト、７…ビン、９…蓋、１１…Ｌ字部、１３…縦辺、１５…空間部、１７…横辺、１９…二重状態の部分、２１…押圧部、２３…蓋当て部、２５…天井外面、２７…角部、２９…突起、３１…接する部位、３３…他端、３５…支点、３７…接触部、３９…丸棒、４１…フランジ、４３…孔、４５…通された両端。
【要約】
【課題】グリップのベルトをビンの蓋部の周囲に巻き回し、グリップを回動してビンの蓋を開ける蓋明け具を改良し、ベルトが、より弛みにくく滑りにくくする。
【解決手段】グリップ３の上部に、略Ｌ字状のＬ字部１１が形成され、このＬ字部１１の縦辺１３に貫通して、横孔としての空間部１５が形成される。ベルト５は、この空間部１５の内部上面に一端が固定され、他端３３は、Ｌ字部１１の略Ｌ字状の横辺１７が向かう方向へ、延設され、Ｌ字部１１の上空を回って円弧を描き、ビン７の蓋９の周囲に巻き回わされた状態で、再び、空間部１５に入り、ベルト５の一端の下を二重状態になって通り、再び、Ｌ字部１１の略Ｌ字状の横辺１７が向かう方向へ延びる。そして、押圧部２１が、このＬ字部１１の略Ｌ字状の横辺１７に、突設され、Ｌ字部１１の略Ｌ字状の横辺１７が向かう方向へ、縦辺１３から離れて位置し、ベルト５の下面に接し、ベルト５の弛みをなくす。
【選択図】図１【図１】
0005506070.tif 000002
【図２】
0005506070.tif 000003
【図３】
0005506070.tif 000004
【図４】
0005506070.tif 000005
【図５】
0005506070.tif 000006
【図６】
0005506070.tif 000007